(57)【要約】      （修正有）【課題】生成水の不均一化に起因する水分布の均一性を高めて、発電領域における電流密度分布の均一化に貢献できる燃料電池及び燃料電池用配流板を提供することを課題とする。【解決手段】燃料電池は、電解質膜と電解質膜を挟持する燃料極及び酸化剤極とを有する膜電極接合体と、燃料極に燃料を供給する燃料通路を有する燃料側配流板と、酸化剤極に酸化剤を供給する酸化剤通路を有する酸化剤側配流板とを備える。燃料側配流板の燃料通路４２及び酸化剤側配流板の酸化剤通路のうちの少なくとも一方は屈曲通路を有する。発電領域の投影面積を１００％としたとき、燃料通路４２を流れる燃料の流れる向きと、酸化剤通路を流れる酸化剤の向きとが逆向きとなる対向流領域が発電領域のうちの７０％以上を占める。【選択図】図３
2006202570.tif 000002
【特許請求の範囲】
【請求項１】
イオン伝導性を有する電解質膜と前記電解質膜を挟持する燃料極及び酸化剤極とを有する膜電極接合体と、
前記燃料極に燃料を供給する燃料通路を有する燃料側配流板と、
前記酸化剤極に酸化剤を供給する酸化剤通路を有する酸化剤側配流板とを備える燃料電池において、
前記燃料側配流板の前記燃料通路及び前記酸化剤側配流板の前記酸化剤通路のうちの少なくとも一方は屈曲通路を有しており、且つ、
前記燃料極と前記酸化剤極とが前記電解質膜を挟んで対向する発電領域の前記電解質膜に投影する投影面積を１００％としたとき、前記燃料通路を流れる燃料の流れる向きと前記酸化剤通路を流れる酸化剤の向きとが逆向きとなる対向流領域の投影面積が７０％以上を占めることを特徴とする燃料電池。
【請求項２】
請求項１において、前記酸化剤通路を流れる酸化剤の基本的流れ方向は、上から下に流れる方向であり、前記燃料通路を流れる燃料の基本的流れ方向は、下から上に流れる方向であることを特徴とする燃料電池。
【請求項３】
請求項１または２において、前記燃料側配流板の前記燃料通路及び前記酸化剤側配流板の前記酸化剤通路のうちの少なくとも一方は、少なくとも２つの屈曲通路を有しており、前記発電領域は前記屈曲通路間に配置されていることを特徴とする燃料電池。
【請求項４】
請求項１〜３のいずれか一項において、前記発電領域は前記対向流領域のみに設けられていることを特徴とする燃料電池。
【請求項５】
請求項１〜４のうちのいずれか一項において、前記燃料極の投影形状は、一端から他端にかけて傾斜する上辺部と、一端から他端にかけて同じ向きに傾斜する下辺部と、縦方向に沿って延設された互いに対向する側辺部とを有しており、
前記酸化剤極の投影形状は、前記燃料極の投影形状と重なるように、一端から他端にかけて傾斜する上辺部と、一端から他端にかけて同じ向きに傾斜する下辺部と、縦方向に沿って延設された互いに対向する側辺部とを有していることを特徴とする燃料電池。
【請求項６】
請求項１〜５のうちのいずれか一項において、各前記燃料通路は、前記燃料入口から横方向に沿って延設された第１通路と、前記第１通路に連通すると共に縦方向に沿って延設された第２通路とを有しており、
各前記燃料通路を構成する前記第１通路の全体幅をＬＡとし、各前記燃料通路を構成する前記第２通路の全体幅をＬＢとするとき、ＬＡ＜ＬＢに設定されていることを特徴とする燃料電池。
【請求項７】
請求項１〜６のうちのいずれか一項において、前記燃料側配流板の前記燃料通路は、屈曲通路を介して蛇行しつつ上下方向に沿って形成されていると共に、
前記酸化剤側配流板の前記酸化剤通路は、屈曲通路を介して蛇行しつつ上下方向に沿って形成されていることを特徴とする燃料電池。
【請求項８】
請求項１〜７のうちのいずれか一項において、前記燃料側配流板の前記燃料通路のうち前記対向流領域以外の部分に、燃料が前記酸化剤側配流板側に流れることを防止する燃料側シール部が設けられていることを特徴とする燃料電池。
【請求項９】
請求項１〜８のうちのいずれか一項において、前記酸化剤側配流板の前記酸化剤通路のうち前記対向流領域以外の部分に、酸化剤が前記燃料側配流板側に流れることを防止する酸化剤側シール部が設けられていることを特徴とする燃料電池。
【請求項１０】
膜電極接合体を構成する燃料極または酸化剤極に燃料または酸化剤を供給すると共に、屈曲通路を有する燃料電池用配流板において、
前記燃料極と前記酸化剤極とが前記電解質膜を挟んで対向する発電領域の前記電解質膜に投影する投影面積を１００％としたとき、燃料の流れる向きと酸化剤の流れる向きとが逆向きとなる対向流領域の投影面積が７０％以上を占めることを特徴とする燃料電池用配流板。
【請求項１１】
請求項１０において、少なくとも２つの屈曲通路を有しており、前記発電領域は前記屈曲通路間に配置されていることを特徴とする燃料電池用配流板。
【発明の詳細な説明】
【技術分野】
【０００１】
本発明は、酸化剤ガス通路及び燃料通路を有する燃料電池、燃料電池に用いられる燃料電池用配流板に関する。
【背景技術】
【０００２】
特許文献１には、電解質膜を挟むように位置する第１セパレータに縦方向に真っ直ぐに延びる酸化剤ガス通路を形成すると共に第２セパレータに縦方向に真っ直ぐに延びる燃料ガス通路を設け、第１セパレータの酸化剤ガス通路と第２セパレータの燃料ガス通路において、酸化剤ガス及び燃料ガスの流れ方向を互いに対向するように設定している固体高分子型燃料電池が開示されている。このものによれば、電解質膜の均一な湿潤に寄与することができると記載されている。
【０００３】
特許文献２には、同様に、電解質膜を挟むように位置する第１セパレータに縦方向に真っ直ぐに延びるように酸化剤ガス通路を形成すると共に、第２セパレータに縦方向に真っ直ぐに延びるように燃料ガス通路を設け、第１セパレータの酸化剤ガス通路と第２セパレータの燃料ガス通路において、酸化剤ガスの流れ方向及び燃料ガスの流れ方向を互いに対向するように設定している燃料電池が開示されている。
【０００４】
特許文献３には、蛇行しつつ上下方向に沿って形成されているサーペンタイン型の燃料通路をもつ燃料側配流板と、蛇行しつつ上下方向に沿って形成されているサーペンタイン型の酸化剤通路をもつ酸化剤側配流板とを有する燃料電池が開示されている。
【特許文献１】特開２００３−２４２９９８号公報
【特許文献２】特開２００４−１８５９３４号公報
【特許文献３】特開２００４−１１９１２１号公報
【発明の開示】
【発明が解決しようとする課題】
【０００５】
ところで燃料電池においては、生成水の分布の均一化が重要である。特許文献１，２によれば、酸化剤ガス通路は真っ直ぐに延びるように形成されているため、発電反応で発生した生成水を良好に排出することができる。
【０００６】
しかしながらガス通路は真っ直ぐに延びるように形成されているため、配流板においてガスの入口や出口を配置する位置の自由度が制約されてしまうおそれがある。殊に、酸化剤として空気を用いる場合には、単位時間あたりの酸化剤流量が大きくなるため、入口や出口の開口面積を大きくする必要があるため、酸化剤の入口や出口を配置する位置の自由度が制約されてしまうことは好ましくない。そこで、酸化剤ガス通路または燃料通路が屈曲通路を有する方式とすれば、屈曲通路の屈曲状態の調整により、上記した自由度を高めることができる。
【０００７】
しかしながら屈曲通路は上記した自由度を高めることができるものの、生成水の排出に対して抵抗性が非屈曲通路に比較して高いため、生成水の分布の不均一化に寄与しがちである。このように生成水の分布が不均一化すると、酸化剤ガス、燃料の円滑な流れが損なわれるので、発電領域における電流密度の分布の不均一化の要因となり易い。
【０００８】
本発明は上記した実情に鑑みてなされたものであり、屈曲通路を形成する方式において、生成水の不均一化に起因する水分布の均一性を高めて、発電領域における電流密度分布の均一化に貢献できる燃料電池及び燃料電池用配流板を提供することを課題とする。
【課題を解決するための手段】
【０００９】
本発明に係る燃料電池は、イオン伝導性を有する電解質膜と電解質膜を挟持する燃料極及び酸化剤極とを有する膜電極接合体と、
燃料極に燃料を供給する燃料通路を有する燃料側配流板と、
酸化剤極に酸化剤を供給する酸化剤通路を有する酸化剤側配流板とを備える燃料電池において、
燃料側配流板の燃料通路及び酸化剤側配流板の酸化剤通路のうちの少なくとも一方は屈曲通路を有しており、且つ、
燃料極と酸化剤極とが電解質膜を挟んで対向する発電領域の電解質膜に投影する投影面積を１００％としたとき、燃料通路を流れる燃料の流れる向きと酸化剤通路を流れる酸化剤の向きとが逆向きとなる対向流領域の投影面積が７０％以上を占めることを特徴とするものである。
【００１０】
本発明に係る燃料電池用配流板は、膜電極接合体を構成する燃料極または酸化剤極に燃料または酸化剤を供給すると共に、屈曲通路を有する燃料電池用配流板において、発電領域の投影面積を１００％としたとき、燃料の流れる向きと酸化剤の流れる向きとが逆向きとなる対向流領域の投影面積が発電領域の７０％以上を占めることを特徴とするものである。
【００１１】
燃料側配流板の燃料通路及び酸化剤側配流板の酸化剤通路のうちの少なくとも一方は、屈曲通路を有する。屈曲通路は、生成水の流れの抵抗となり易く、生成水の分布の不均一化の要因となり易く、電流密度の分布の不均一化となり易い。
【００１２】
この点について本発明によれば、発電領域の投影面積を１００％としたとき、燃料通路を流れる燃料の流れる向きと酸化剤通路を流れる酸化剤の向きとが逆向きとなる対向流領域の投影面積が、発電領域のうちの７０％以上を占めるように設定されている。対向流領域は、燃料の流れる向きと酸化剤の流れる向きとが逆向きとなる領域である。このような対向流領域では、酸化剤通路の上流が燃料通路の下流に相当すると共に、酸化剤通路の下流が燃料通路の上流に相当する。
【００１３】
対向流領域は、燃料通路を流れる燃料の流れる向きと、酸化剤通路を流れる酸化剤の向きとが逆向きであるため、後述するように水の分散作用を発揮することができる。ここで、対向流領域の面積が発電領域の７０％未満であれば、水の分散作用が充分に得られない。水の分散作用を良好に得るためには、対向流領域の面積が発電領域のうちの８０％以上、９０％以上、９５％以上、９８％以上、または１００％を占めることが好ましい。
【００１４】
このように対向流領域の面積がかなり占めるため、酸化剤通路の下流に溜まった水が電解質膜を浸透して燃料通路側に移行すると、燃料通路を流れる燃料が水を燃料通路の下流側、つまり、酸化剤通路の上流側に移行させることができる。つまり、水の分散作用を良好に発揮することができる。この結果、発電領域における水分布の不均一化が発生することを抑制することができ、生成水の分布の不均一性に起因する電流密度分布の不均一性を抑制でき、発電性能の向上に寄与できる。
【発明の効果】
【００１５】
本発明に係る燃料電池によれば、燃料通路及び酸化剤通路のうちの少なくとも一方は、屈曲通路を有している。このため燃料の入口や出口、酸化剤の入口や出口を配置する位置の自由度を高めることができる。殊に、酸化剤として空気を用いる場合には、酸化剤の流量が大きくなるため、酸化剤の入口や出口の開口面積を大きくする必要があるが、このように入口や出口の開口面積を大きくする場合であっても、酸化剤通路または燃料通路が屈曲通路を有する方式とすれば、屈曲通路の屈曲状態の調整により、上記した自由度を高めることができる。
【００１６】
本発明に係る燃料電池によれば、発電領域の投影面積を１００％としたとき、燃料通路を流れる燃料の流れる向きと酸化剤通路を流れる酸化剤の向きとが逆向きとなる対向流領域の面積が、７０％以上を占めるように設定されている。このように発電領域において対向流領域の面積がかなり占める。このため、酸化剤通路の下流に溜まった水が電解質膜を浸透して燃料通路側に移行すると、燃料通路を流れる燃料がその水を燃料通路の下流側に向けて、つまり、酸化剤通路の上流側に向けて移行させることができる。故に、水の分散作用を良好に発揮することができ、水の偏在化を抑制することができる。
【００１７】
この結果、本発明に係る燃料電池によれば、水分布の偏在の要因となる屈曲通路を有しつつも、発電領域における水分布に偏りが発生することを抑制することができ、生成水の分布ムラに起因する発電ムラを低減できる。従って、発電領域が発電するときにおける電流密度の分布の均一性を高めることができ、発電効率を高めることができ、燃料電池の発電性能を向上させるのに貢献することができる。
【発明を実施するための最良の形態】
【００１８】
発電領域は燃料極と酸化剤極とが重なる領域である。発電領域の投影面積を１００％としたとき、燃料通路を上向きに流れる燃料の流れる向きと、酸化剤通路を下向きに流れる酸化剤ガスの向きとが逆向きとなる対向流領域の面積が発電領域のうちの７０％以上を占めるように設定されている、好ましくは、８０％以上、９０％以上、９５％以上または９８％以上を占めるように設定されている。なお、対向流領域の面積は、突起部が配流板に設けられているときには、突起部を含む流路域の面積を意味する。
【００１９】
上記した結果、酸化剤通路の下流に溜まった水が電解質膜を浸透して燃料通路側に移行すると、燃料通路を流れる燃料ガスが水を燃料通路の下流側、つまり、酸化剤通路の上流側に移行させることができる。この結果、発電領域における水分布に偏りが発生することを抑制することができ、発電領域が発電するときにおける電流密度分布の均一性を高めることができ、燃料電池の発電効率を高めることができる。
【００２０】
本発明によれば、酸化剤通路を流れる酸化剤の基本的流れ方向は、上から下に流れる方向であり、燃料通路を流れる燃料の基本的流れ方向は、下から上に流れる方向である形態を採用することができる。生成水は酸化剤極で生成するため、酸化剤通路においてガス通路を水が閉鎖するフラッティングが生じ易いが、前記したように酸化剤の基本的流れ方向が上から下に流れる方向であるため、酸化剤通路における重力を利用した水の排出性を向上させるのに有利である。
【００２１】
本発明によれば、燃料側配流板の燃料通路及び酸化剤側配流板の酸化剤通路のうちの少なくとも一方は、少なくとも２つの屈曲通路を有している形態を採用することができる。この場合、燃料極と酸化剤極とが重なる発電領域は屈曲通路間に配置されている形態を採用することができる。ここで、屈曲通路は水の不均一化の要因、ひいては電流密度分布の不均一化の要因となり易いが、前記したように発電領域を屈曲通路間に配置すれば、水の不均一化に起因する電流密度分布の不均一化を抑制するのに有利となる。
【００２２】
発電領域は対向流領域（のみ）に設けられている形態を採用することができる。後述する実施例で述べるように、燃料極の投影形状は、一端から他端にかけて傾斜する上辺部と、一端から他端にかけて同じ向きに傾斜する下辺部と、縦方向に沿って延設された互いに対向する側辺部とを有しており、酸化剤極の投影形状は、燃料極の投影形状と重なるように、一端から他端にかけて傾斜する上辺部と、一端から他端にかけて同じ向きに傾斜する下辺部と、縦方向に沿って延設された互いに対向する側辺部とを有している形態を採用することができる。
【００２３】
本発明によれば、各燃料通路は、燃料入口から横方向に沿って延設された第１通路と、第１通路に連通すると共に縦方向に沿って延設された第２通路とを有しており、各燃料通路を構成する第１通路の全体幅をＬＡとし、各燃料通路を構成する第２通路の全体幅をＬＢとするとき、ＬＡ＜ＬＢに設定されている形態を採用することができる。
【００２４】
本発明によれば、燃料側配流板の燃料通路は蛇行しつつ上下方向に沿って形成されていると共に、酸化剤側配流板の酸化剤通路は、蛇行しつつ上下方向に沿って形成されている形態を採用することができる。このようにサーペンタイン型にも適用できる。
【００２５】
本発明によれば、燃料側配流板の燃料通路のうち対向流領域以外の部分に、燃料が酸化剤側配流板側に流れることを防止する燃料側シール部が設けられている形態を採用することができる。燃料側シール部はシールプレート及び樹脂シールのうちの少なくとも一つで形成できる。
【００２６】
また、酸化剤側配流板の酸化剤通路のうち対向流領域以外の部分に、酸化剤が燃料側配流板側に流れることを防止する酸化剤側シール部が設けられている形態を採用することができる。なお酸化剤側シール部はシールプレート及び樹脂シールのうちの少なくとも一つで形成できる。
【実施例１】
【００２７】
以下、本発明の実施例１について図１〜図７を参照しつつ具体的に説明する。図１は、固体高分子型の燃料電池の概念図を模式的に示す。図１に示すように、燃料電池は、膜電極接合体１を厚み方向の両側から挟持した配流板２とを有するセルを厚み方向に積層して形成されている。膜電極接合体１は、固体高分子型の電解質膜１０と、電解質膜１０の厚み方向の片側に設けられ導電性及びガス透過性をもつ燃料極１１と、電解質膜１０の厚み方向の他の片側に設けられ導電性及びガス透過性をもつ酸化剤極１２と、燃料極１１と電解質膜１０との間に介在する燃料極１１用の触媒層１３と、酸化剤極１２と電解質膜１０との間に介在する酸化剤極１２用の触媒層１４とを有する。触媒層１３，１４は、触媒をカーボン担体に担持した触媒担持カーボンと、電解質部分とを有する。
【００２８】
配流板２は導電性を有する材料、例えばカーボン材料または耐食性が良好な金属材料で形成されており、セパレータとも呼ばれる。図２に示すように、配流板２は、縦長の四角形状をなしており、互いに対向する上辺部２０及び下辺部２１と、互いに対向する２つの側辺部２２,２３とを有する。配流板２は突起２７を有する。配流板２の突起２７は燃料極１１や酸化剤極１２に接触して電子伝導性を確保するものであり、発電反応で生成した電子を配流板２と燃料極１１との間、配流板２と酸化剤極１２との間で伝導させることができる。
【００２９】
図２に示すように、酸化剤ガス入口３０（酸化剤入口）は、酸化剤ガス（一般的には空気等の酸素含有ガス、あるいは酸素ガス）を流すものであり、配流板２の上辺部２０側に横長形状に設けられている。酸化剤ガス出口３１（酸化剤出口）は配流板２の下辺部２１側に横長形状に設けられている。酸化剤ガス通路３２は、酸化剤ガス入口３０から酸化剤ガス出口３１にかけて断続的に直状に延設された多数の仕切用の突起２７により形成された直状の酸化剤ガス通路３２を有する。従って、配流板２において、酸化剤ガスは、酸化剤ガス入口３０、酸化剤ガス通路３２、酸化剤ガス出口３１の順に、上から下に向けて下向き（矢印Ｙ１方向）に流れる。よって、配流板２を流れる酸化剤ガスは、配流板２の一面側において上から下に向けて、基本的には下向きに流れる。図２に示すように、酸化剤ガス出口３１の開口面積は酸化剤ガス入口３０の開口面積よりも大きく設定されている。発電反応で生成した生成水を酸化剤ガス出口３１から吐出させることを考慮しているためである。
【００３０】
また、酸化剤ガス通路３２に生成水が存在するときであっても、上記したように酸化剤ガス通路３２は直状に延設されており、しかも酸化剤ガス出口３１は配流板２の下辺部２１側に設けられているため、重力を利用してその生成水を下方に排出させる排出性を高めることができる。
【００３１】
酸化剤ガス通路３２は前述したように配流板２の一面側に設けられており、仕切用の突起２７により、図２に示すように、酸化剤ガス入口３０から酸化剤ガス出口３１に向けて複数本並行に延設されている。なお、突起２７の数が多いのは、電子伝導性を確保するためである。各酸化剤ガス通路３２の通路幅は基本的には均等とされている。
【００３２】
図２に示すように、突起２７は切欠部２８を介して長さ方向に断続されており、上下方向に配置されている。切欠部２８が形成されているため、仮に生成水の詰まりが酸化剤ガス通路３２に生じたとしても、生成水が詰まった部分を避けるように、酸化剤ガスは切欠部２８を介して生成水の詰まり部分を迂回することができ、酸化剤ガスの流れ性が確保されている。
【００３３】
次に燃料の流れについて説明を加える。図３に示すように、燃料入口４０は燃料（一般的には水素ガス、水素含有ガス）を流すものであり、配流板２の一方の側辺部２２の下側に縦長に設けられている。燃料出口４１は、配流板２の他方の側辺部２２の上側に縦長に設けられている。
【００３４】
燃料通路４２は、酸化剤ガス通路３２と表裏の関係となるように酸化剤ガス通路３２に対向するように、配流板２の他面側に設けられている。燃料通路４２は、燃料入口４０から燃料出口４１に向けて複数本並行に延設されている。従って、燃料通路４２を流れる燃料は、配流板２の他面側において下から上に向けて、基本的には上向き（矢印Ｙ２方向）に流れる。上記したように酸化剤ガスは上向きに流れるため、酸化剤ガスの流れ方向と燃料の流れ方向とは基本的には逆の関係とされている。この場合、次のように生成水の分散作用を期待することができる。  即ち、酸化剤ガスの流れは基本的に下向き（矢印Ｙ１方向）であるため、発電反応に基づいて酸化剤極１２で生成した生成水は、下向き（矢印Ｙ１方向）に流れる。このため酸化剤ガス通路３２の下部、酸化剤極１２の下部が相対的に濡れ気味となり、且つ、酸化剤ガス通路３２の上部、酸化剤極１２の上部が相対的に乾き気味となる。生成水は電解質膜１０を透過して酸化剤極１２及び燃料極１１との間で往来できる。このため、酸化剤極１２の下部及び燃料極１１の下部が相対的に濡れ気味となり、酸化剤極１２の上部及び燃料極１１の上部が相対的に乾き気味となる。換言すれば、酸化剤ガス通路３２の下部（下流）及び燃料通路４２の下部（上流）が相対的に濡れ気味となり、酸化剤ガス通路３２の上部（上流）及び燃料通路４２の上部（下流）が相対的に乾き気味となる。
【００３５】
しかしながら本実施例によれば、燃料の流れは、酸化剤ガスの流れ方向と逆であり、基本的には上向き（矢印Ｙ２方向）であるため、燃料通路４２の下部（上流）側に存在する生成水を上向きに運び、燃料通路４２の上部（下流）に移送させることができる。そして、生成水は電解質膜１０を透過して酸化剤極１２及び燃料極１１との間で往来するため、燃料電池を構成する酸化剤極１２及び燃料極１１について、上部と下部との間における湿分ムラが低減され、ひいては配流板２の上部と下部との間における発電ムラが低減される。
【００３６】
このように発電ムラを低減させるためには、燃料を上向きに流すべく、燃料通路４２の上下方向に沿った縦通路（後述する第２通路４２ｂ）の長さを長く設定し、結果として、酸化剤ガス通路３２の縦通路部分３２ｘと、燃料通路４２の上下方向に沿った縦通路（後述する第２通路４２ｂ）との対向長さをできるだけ長くする方が好ましい。以下述べるように本実施例はこのような構造に設定されている。
【００３７】
図３に示すように、燃料通路４２について更に説明を加える。各燃料通路４２は、燃料入口４０から横方向に沿って（つまり下辺部２１に沿って）延設された第１通路４２ａと、第１通路４２ａの終部に連通すると共に縦方向に沿って（つまり側辺部２２,２３に沿って）延設された第２通路４２ｂとを有する。更に、各燃料通路４２は、第１通路４２ａと第２通路４２ｂの他に、第２通路４２ｂの上部に連通すると共に横方向に沿って（つまり上辺部２０に沿って）延設された第３通路４２ｃとを有する。図３に示すように第１通路４２ａと第２通路４２ｂとはＬ字形状とされている。第２通路４２ｂと第３通路４２ｃとはＬ字形状とされている。
【００３８】
第１通路４２ａ、第２通路４２ｂ、第３通路４２ｃは、突起２７により延設されている。ここで、配流板２において、燃料は、燃料入口４０、第１通路４２ａ、第２通路４２ｂ、第３通路４２ｃ、燃料出口４１の順に上向き（矢印Ｙ２方向）に流れる。
【００３９】
本実施例によれば、図３に示すように、１本の第２通路４２ｂは、電子伝導性を確保する突起としても機能できる分岐壁４７（図４にハッチングで示されている領域）により複数に分岐されている。故に、第２通路４２ｂの本数は第１通路４２ａの本数よりも増加している。つまり図４に示すように、１本の第１通路４２ａは分岐壁４７により２本の第２通路４２ｂに分岐されている。分岐壁４７は電子伝導性を確保するため、燃料極１１との間の電子伝導性を考慮すれば、数を増加させることが好ましい。
【００４０】
図３に示すように、直状をなす分岐壁４７は上端４７ｕ及び下端４７ｄをもつ。
【００４１】
複数の分岐壁４７についてみると、分岐壁４７の下端４７ｄは、図３に示すように、燃料入口４０から遠ざかるにつれて下降するように傾斜する仮想傾斜線Ｒ１に沿って次第に下降傾斜している。また、分岐壁４７の上端４７ｕは、燃料出口４１から遠ざかるにつれて上昇するように傾斜する仮想傾斜線Ｒ２に沿って次第に上昇傾斜している。図３に示すように、仮想傾斜線Ｒ１と仮想傾斜線Ｒ２とは互いに平行、あるいは、ほぼ平行とすることができる。
【００４２】
この場合、図３から理解できるように、仮想傾斜線Ｒ１と仮想傾斜線Ｒ２との上下方向の間隔は、実質的に均等である。従って、直状をなす複数の分岐壁４７の上下方向の長さはそれぞれ基本的には同じとされている。なお、仮想傾斜線Ｒ１と仮想傾斜線Ｒ２とで区画される領域は、図３に示すように平行四辺形またはほぼ平行四辺形とされている。
【００４３】
図３に示すように、第１通路４２ａと第２通路４２ｂとの連結部分、第２通路４２ｂと第３通路４２ｃとの連結部分は、燃料が流れる燃料通路４２が屈曲する屈曲通路４９（４９ｄ，４９ｕ）を構成する。即ち、仮想傾斜線Ｒ１及び仮想傾斜線Ｒ２に対応する部分は、燃料が流れる燃料通路４２が屈曲する屈曲通路４９を構成する。このように燃料通路４２は屈曲通路４９を有している。
【００４４】
図３は、上側の屈曲通路を４９ｕとして、下側の屈曲通路を４９ｄとして示す。このように屈曲通路４９（４９ｄ，４９ｕ）が形成されていれば、配流板２において燃料入口４０や燃料出口４１を配置する位置を選定するときにおける自由度を高めることができる。ひいては酸化剤ガス入口３０や酸化剤ガス出口３１を配置する位置の自由度を高めることができる。殊に本実施例では、酸化剤として空気を用いているため、単位時間当たりの酸化剤ガスの流量が大きくなるため、酸化剤ガス入口３０や酸化剤ガス出口３１の開口面積を大きくする必要があるが、このように開口面積を大きくする場合であっても、屈曲通路４９を形成すれば、上記した自由度を高めることができる利点が得られる。
【００４５】
図３に示すように、１本の第１通路４２ａの通路幅をＤ１とし、１本の第２通路４２ｂの通路幅をＤ２、１本の第３通路４２ｃの通路幅をＤ３として示す。Ｄ１＞Ｄ２の関係、Ｄ３＞Ｄ２の関係、Ｄ１≒Ｄ３（Ｄ１=Ｄ３）の関係とされている。但しこれに限定されるものではない。
【００４６】
上記したように１本の第１通路４２ａが２本の第２通路４２ｂに分岐されている本実施例によれば、図３に示すように、各燃料通路４２を構成する第１通路４２ａで形成された第１通路４２ａ群の全体幅（ガス流れを横断する方向の全体幅）をＬＡとし、各燃料通路４２を構成する第２通路４２ｂで形成された第２通路群の全体幅（ガス流れを横断する方向の全体幅）をＬＢとするとき、ＬＡ＜ＬＢの関係に設定されている。また、各燃料通路４２を構成する第３通路４２ｃで形成された第３通路群の全体幅をＬＣとするとき、ＬＣ＜ＬＢの関係に設定されている。ここで、ＬＡ=ＬＣ、ＬＡ≒ＬＣとされている。
【００４７】
上記したような本実施例によれば、燃料通路４２のうち上下方向に延設された第２通路４２ｂと酸化剤ガスのうち上下方向に延設された縦通路部分３２ｘとが対向し合う対向長さＭ１，Ｍ２（図３参照）を増加させることができる。ひいては、燃料通路４２のうち上下方向に延設された第２通路４２ｂと酸化剤ガスのうち上下方向に延設された縦通路部分とが対向し合う対向領域ＳＡの面積を増加させることができる。この結果、酸化剤ガスと燃料とが逆向きで流れる対向流領域の面積を増加させることができる。
【００４８】
このため発電反応で発生した生成水が酸化剤ガス通路３２の下部に溜まったとしても、その生成水は、電解質膜１０を透過し、酸化剤ガス通路３２に対面する燃料通路４２側に浸透し、更に、燃料通路４２を上向き（矢印Ｙ２方向）に流れる燃料により上向き（矢印Ｙ２方向）に移行される。生成水は電解質膜１０を透過して酸化剤極１２及び燃料極１１との間で往来するため、結果として、燃料極１１の上部と下部との湿分ムラが低減される。ひいては酸化剤極１２の上部と下部との湿分ムラが低減される。このため、配流板２における上部と下部の湿分ムラに起因する発電ムラが低減される。
【００４９】
なお図２,図３に示すように、配流板２には、燃料電池を冷却させるための冷却水を流入させる冷却水入口５０が形成されていると共に、冷却水を流出させる冷却水出口５１が形成されている。冷却水入口５０及び冷却水出口５１に連通する冷却水通路は図略の配流板に形成されている。
【００５０】
さて本実施例によれば、燃料極１１と酸化剤極１２とが電解質膜１０を挟んで対向する発電領域は、燃料極１１の投影形状と酸化剤極１２の投影形状とが重なる領域である。酸化剤極１２の投影面積と燃料極１１の投影面積とは基本的には同一とされている。このような発電領域は、燃料が流れる燃料通路４２の屈曲通路４９に対応する仮想傾斜線Ｒ１と仮想傾斜線Ｒ２との間に設けられている。ここで本実施例によれば、発電領域の投影面積を１００％としたとき、燃料通路４２を上向きに流れる燃料の流れる向きと、酸化剤ガス通路３２を下向きに流れる酸化剤の向きとが逆向きとなる対向流領域の面積が、９０％以上または９５％以上を占めるように設定されている。殊に本実施例によれば、燃料極１１と酸化剤極１２とが重なる発電領域は、上側の屈曲通路４９ｕと下側の屈曲通路４９ｄと間に配置されており、対向流領域（のみ）に設けられている。
【００５１】
ここで、対向流領域は、燃料通路を流れる燃料の流れる向きと、前記酸化剤通路を流れる酸化剤の向きとが逆向きであるため、生成水の分散作用を発揮することができる。
【００５２】
図５に示すように、燃料極１１の投影形状は、一端から他端にかけて仮想傾斜線Ｒ２に沿って傾斜する上辺部１１ｕと、一端から他端にかけて同じ向きに仮想傾斜線Ｒ１に沿って傾斜する下辺部１１ｄと、縦方向に沿って延設された互いに対向する側辺部１１ｓ，１１ｔとを有する。したがって燃料極１１の投影形状は、平行四辺形状またはほぼ平行四辺形状をなす。燃料極１１の投影形状は、燃料極１１の面垂直方向に沿って光を当てたときにおける投影形状を意味する。
【００５３】
酸化剤極１２の投影形状は、燃料極１１の投影形状と重合するように、一端から他端にかけて傾斜する仮想傾斜線Ｒ２に沿って上辺部１２ｕと、一端から他端にかけて同じ向きに仮想傾斜線Ｒ１に沿って傾斜する下辺部１２ｄと、縦方向に沿って延設された互いに対向する側辺部１２ｓ，１２tとを有する。したがって酸化剤極１２の投影形状は、平行四辺形状またはほぼ平行四辺形状をなす。酸化剤極１２の投影形状は、燃料極１１の面垂直方向に沿って燃料極１１の投影形状と同じ方向から光を当てたときにおける投影形状を意味する。
【００５４】
本実施例によれば、図６に示すように、燃料側配流板２（２Ａ）の燃料通路４２のうち対向流領域以外の部分に、燃料側シール部としての燃料側シールプレート６０が設けられている。燃料側シールプレート６０は、燃料が酸化剤側配流板２（２Ｂ）側に流れることを防止する機能を有する。
【００５５】
また酸化剤側配流板２（２Ｂ）の酸化剤ガス通路３２のうち対向流領域以外の部分に、酸化剤側シール部としての酸化剤側シールプレート６２が設けられている。酸化剤側シールプレート６２は、酸化剤ガスが燃料側配流板２（２Ａ）に流れることを防止する機能を有する。燃料側シールプレート６０と酸化剤側シールプレート６２とは樹脂バインダ層６４で一体的に結合されている。
【００５６】
図７に示すように、燃料側配流板２（２Ａ）の燃料通路４２に連通する燃料入口４０には、燃料側シール部としての燃料側シールプレート７０が設けられている。燃料側シールプレート７０は、燃料が酸化剤側配流板側２（２Ｂ）に流れることを防止する機能を有する。また酸化剤側配流板２（２Ｂ）の酸化剤ガス通路３２に連通する酸化剤ガス出口３１には、酸化剤側シール部としての酸化剤側シールプレート７２が設けられている。酸化剤側シールプレート７２は、酸化剤ガスが燃料側配流板２（２Ａ）に流れることを防止する機能を有する。燃料側シールプレート７０と酸化剤側シールプレート７２とは樹脂バインダ層７４で一体的に結合されている。
【００５７】
図５は燃料側シールプレート６０の投影形状を示す。図５に示すように、燃料側シールプレート６０の投影形状は、一端から他端にかけて仮想傾斜線Ｒ２に沿って傾斜する下辺部６０ｄを備えるほぼ三角形状をなす。同様に、酸化剤側シールプレート６２の投影形状は、一端から他端にかけて仮想傾斜線Ｒ２に沿って傾斜する上辺部６２ｄを備えるほぼ三角形状をなす。
【００５８】
図５は燃料側シールプレート７０の投影形状を示す。図５に示すように、燃料側シールプレート７０の投影形状は、一端から他端にかけて仮想傾斜線Ｒ１に沿って傾斜する上辺部７０ｄを備えるほぼ三角形状をなす。同様に、酸化剤側シールプレート７２の投影形状は、一端から他端にかけて仮想傾斜線Ｒ１に沿って傾斜する上辺部７２ｄを備えるほぼ三角形状をなす。
【００５９】
前記した屈曲通路４９（４９ｕ，４９ｄ）は水の排出の抵抗となるため、水が溜まり易く、水分布の不均一化の要因、ひいては電流密度分布の不均一化の要因となり易い。この点本実施例によれば、燃料電池の発電領域は燃料極１１と酸化剤極１２とが重なる領域である。ここで、発電領域の投影面積を１００％としたとき、燃料通路４２を上向きに流れる燃料の流れる向きと、酸化剤ガス通路３２を下向きに流れる酸化剤ガスの向きとが逆向きとなる対向流領域の面積が、発電領域の９０％以上または９５％以上を占めるように設定されている。殊に本実施例によれば、燃料極１１の投影形状と酸化剤極１２の投影形状とが重なる発電領域は、仮想傾斜線Ｒ１と仮想傾斜線Ｒ２との間に形成されており、対向流領域（のみ）に設けられている。ここで対向流領域は生成水を分散させる作用を有する。
【００６０】
このような本実施例によれば、酸化剤ガス通路３２の下流に溜まった水が電解質膜１０を浸透して燃料通路４２側に移行すると、燃料通路４２を流れる燃料ガスが水を燃料通路４２の下流側、つまり、酸化剤ガス通路３２の上流側に移行させることができる。この結果、発電領域における水分布に不均一性が発生することを抑制することができ、発電領域が発電するときにおける電流密度の分布の均一性を高めることができ、発電効率を高めることができる。
【実施例２】
【００６１】
図８及び図９は実施例２を示す。本実施例は前記した実施例１と基本的には同様の構成、作用効果を有する。図８（Ａ）は酸化剤側配流板２Ｂを示す。図８（Ａ）に示すように、酸化剤側配流板２Ｂのカソード流路である酸化剤ガス通路３２はサーペンタイン型であり、屈曲通路３９ａ，３９ｂを介して蛇行しつつ形成されている。
【００６２】
酸化剤ガス入口３０は、酸化剤ガス（一般的には空気等の酸素含有ガス、あるいは酸素ガス）を流すものであり、配流板２（２Ｂ）の上部側に設けられている。酸化剤ガス出口３１は配流板２（２Ｂ）の下部側に設けられている。酸化剤ガス通路３２は、酸化剤ガス入口３０から酸化剤ガス出口３１にかけて延設された多数の仕切用の突起２７により形成されている。従って、配流板２（２Ｂ）において、酸化剤ガスは、酸化剤ガス入口３０、酸化剤ガス通路３２、酸化剤ガス出口３１の順に、上から下に向けて蛇行しつつ下向きに流れる。よって、配流板２（２Ｂ）を流れる酸化剤ガスは、配流板２（２Ｂ）の他面側において上から下に向けて、基本的には下向き（矢印Ｙ４方向）に流れる。重力を利用して生成水の排出性を高めるためである。
【００６３】
また、酸化剤ガス通路３２に生成水が存在するときであっても、上記したように酸化剤ガス出口３１は配流板２の下部側に設けられているため、重力を利用してその生成水を排出させる排出性を高めることができる。
【００６４】
図９（Ａ）は燃料側配流板２Ａを示す。図９（Ａ）に示すように、燃料側配流板２Ａのアノード流路である燃料通路４２はサーペンタイン型であり、屈曲通路４９ａ，４９ｂ，４９ｃ，４９ｄを介して蛇行しつつ形成されている。燃料通路４２は、酸化剤ガス通路３２と表裏の関係となるように酸化剤ガス通路３２に対向するように、配流板２の一面側に設けられている。燃料通路４２を流れる燃料は、配流板２（２Ａ）において下から上に向けて蛇行しつつ、基本的には上向き（矢印Ｙ５方向）に流れる。上記したように酸化剤ガスは下向きに流れるため、酸化剤ガスの流れ方向と燃料の流れ方向とは、基本的には逆の関係とされている。この場合、前記したように生成水を分散させる作用を期待することができる。
【００６５】
即ち、酸化剤ガスの流れは下向きであるため、発電反応に基づいて酸化剤極１２で生成した生成水は、重力を利用して下向きに流れる。このため酸化剤ガス通路３２の下部、酸化剤極１２の下部が相対的に濡れ気味となり、且つ、酸化剤ガス通路３２の上部、酸化剤極１２の上部が相対的に乾き気味となる。生成水は電解質膜１０を透過して酸化剤極１２及び燃料極１１との間で往来できる。このため、酸化剤極１２の下部及び燃料極１１の下部が相対的に濡れ気味となり、酸化剤極１２の上部及び燃料極１１の上部が相対的に乾き気味となる。換言すれば、酸化剤ガス通路３２の下部（下流）及び燃料通路４２の下部（上流）が相対的に濡れ気味となり、酸化剤ガス通路３２の上部（上流）及び燃料通路４２の上部（下流）が相対的に乾き気味となる。
【００６６】
しかし本実施例によれば、燃料の流れは基本的には上向きであるため、燃料通路４２の下部側に存在する生成水を上向きに運び、燃料通路４２の上部（下流）に移送させることができる。そして、生成水は電解質膜１０を透過して酸化剤極１２及び燃料極１１との間で往来するため、酸化剤極１２及び燃料極１１について上部と下部との間における水の不均一化、湿分ムラが低減される。ひいては配流板２の上部と下部との間における電流密度の分布の不均一性が低減される。このように電流密度の分布の不均一性を低減させるためには、発電領域の投影面積を１００％としたとき、燃料通路４２を流れる燃料の流れる向きと、酸化剤ガス通路３２を流れる酸化剤の向きとが逆向きとなる対向流領域の割合を増加させることが好ましい。
【００６７】
本実施例によれば、発電領域の投影面積を１００％としたとき、燃料通路４２を上向きに流れる燃料の流れる向きと、酸化剤ガス通路３２を下向きに流れる酸化剤ガスの向きとが逆向きとなる対向流領域の面積が、発電領域のうちの９０％以上または９５％以上を占めるように（実質的に１００％）設定されている。従って、発電領域は対向流領域（のみに）設けられているといえる。
【００６８】
即ち、図８（Ｂ）に示すように、酸化剤極１２の投影形状は当該対向流領域と重なるように設定されている。図９（Ｂ）に示すように、燃料極１１の投影形状は当該対向流領域と重なるように設定されている。
【００６９】
図８（Ｂ）及び図９（Ｂ）に示すように、酸化剤極１２及び燃料極１１は投影面積が基本的には同一とされている。酸化剤極１２の投影形状は、酸化剤極１２の面垂直方向に沿って光を当てたときにおける投影形状を意味する。燃料極１１の投影形状は、燃料極１１の面垂直方向に沿って光を当てたときにおける投影形状を意味する。上記したように本実施例によれば、発電領域は当該対向流領域と重なるように設定されており、当該対向流領域（のみに）設けられている。
【００７０】
本実施例によれば、図１０に示すように、燃料側配流板２（２Ａ）の燃料通路４２のうち対向流領域以外の部分に、燃料側シール部としての燃料側シールプレート６０が設けられている。燃料側シールプレート６０は、燃料が酸化剤側配流板２（２Ｂ）側に流れることを防止する機能を有する。また図１０に示すように、酸化剤側配流板２（２Ｂ）の酸化剤ガス通路３２のうち対向流領域以外の部分に、酸化剤側シール部としての酸化剤側シールプレート６２が設けられている。酸化剤側シールプレート６２は、酸化剤が燃料側配流板２（２Ａ）に流れることを防止する機能を有する。燃料側シールプレート６０及び酸化剤側シールプレート６２は樹脂バインダ層６４で結合されている。
【００７１】
同様に、特に図示はしないものの、燃料側配流板２（２Ａ）の燃料通路４２のうち対向流領域以外の部分に、燃料側シールプレートが設けられている。また酸化剤側配流板２（２Ｂ）の酸化剤ガス通路３２のうち対向流以外の部分に、酸化剤側シールプレートが設けられている。
（他の例）
その他、本発明は上記しかつ図面に示した実施例のみに限定されるものでなく、要旨を逸脱しない範囲内で適宜変更して実施できるものである。実施例では、一面に酸化剤流路、他面に燃料流路が形成された配流板で説明したが、これに限らず、一面に酸化剤流路が形成された配流板、一面に燃料流路が形成された配流板に適用してもよい。
【産業上の利用可能性】
【００７２】
本発明は例えば車両用、定置用、携帯用、電気機器用、電子機器用等の燃料電池発電システムに利用することができる。
【図面の簡単な説明】
【００７３】
【図１】燃料電池の内部構造を模式的に示す概念図である。
【図２】配流板の酸化剤ガス通路側を模式的に示す正面図である。
【図３】配流板の燃料通路側を模式的に示す正面図である。
【図４】配流板の燃料通路側を拡大して模式的に示す部分正面図である。
【図５】燃料極及び酸化剤極とが重合する発電領域を模式的に示す正面図である。
【図６】燃料出口付近を模式的に示す断面図である。
【図７】燃料入口付近を模式的に示す断面図である。
【図８】（Ａ）は配流板の酸化剤ガス通路側を模式的に示す正面図であり、（Ｂ）は配流板及び酸化剤極を模式的に示す正面図である。
【図９】（Ａ）は配流板の燃料通路側を模式的に示す正面図であり、（Ｂ）は配流板及び燃料極を模式的に示す正面図である。
【図１０】シールプレート付近を模式的に示す断面図である。
【符号の説明】
【００７４】
図中、１１は燃料極、１２は酸化剤極、２は配流板、２０は上辺部、２１は下辺部、２２は側辺部、３０は酸化剤ガス入口、３１は酸化剤ガス出口、３２は酸化剤ガス通路、４０は燃料入口、４１は燃料出口、４２は燃料通路、４２ａは第１通路、４２ｂは第２通路、４２ｃは第３通路、６０及び７０は燃料側シールプレート（燃料側シール部）、６２及び７２は酸化剤側シールプレート（酸化剤側シール部）、６４は及び７４は樹脂バインダ層を示す。
【図１】
2006202570.tif 000003
【図２】
2006202570.tif 000004
【図３】
2006202570.tif 000005
【図４】
2006202570.tif 000006
【図５】
2006202570.tif 000007
【図６】
2006202570.tif 000008
【図７】
2006202570.tif 000009
【図８】
2006202570.tif 000010
【図９】
2006202570.tif 000011
【図１０】
2006202570.tif 000012